(57)【特許請求の範囲】
【請求項１】
フレームを生成するための媒体アクセスコントローラ(MAC)と、
フレームを送信のための無線周波(RF)アナログ信号に変換するための送信機回路と
を備える電子デバイスであって、
前記MACは、指定された時間期間によるRFアナログ信号送信の開始に先立つ時間にフレーム生成を開始するものであり、
第1のモードにおいて、前記MACは、前記指定された時間期間の第1の部分の間にダミーフレームを生成し、前記指定された時間期間の後続の第2の部分の間に送信フレームの生成を開始するものであり、
前記第1のモードにおいて、前記送信機回路は、前記ダミーフレームを第1のアナログ信号に変換し、前記第1のアナログ信号を破棄し、前記送信フレームを第2のアナログ信号に変換し、前記第2のアナログ信号を送信するものである、電子デバイス。
【請求項２】
アクティブ化されると前記RFアナログ信号を増幅するための電力増幅器をさらに備え、前記第1のモードにおいて、前記電力増幅器は、前記第1のアナログ信号を破棄するように非アクティブ化されるものであり、前記第2のアナログ信号を増幅するようにアクティブ化されるものである、請求項1に記載の電子デバイス。
【請求項３】
前記送信機回路が、前記ダミーフレームに対応するデジタルサンプルおよび前記送信フレームをそれぞれの第1のベースバンドアナログ信号および第2のベースバンドアナログ信号に変換するためのデジタルアナログ変換器(DAC)を備える、請求項2に記載の電子デバイス。
【請求項４】
前記送信機回路が、
前記MACと前記DACとの間に結合され、前記ダミーフレームおよび前記送信フレーム中のデータを前記デジタルサンプルに変換するためのベースバンドプロセッサと、
前記DACに結合され、前記第1のベースバンドアナログ信号および前記第2のベースバンドアナログ信号をRFにアップコンバートするための混合器と
をさらに備える、請求項3に記載の電子デバイス。
【請求項５】
前記混合器に結合され、発振RF信号を生成し、前記発振RF信号を前記混合器に与えるための周波数合成器をさらに備え、
前記混合器は、前記第1のベースバンドアナログ信号および前記第2のベースバンドアナログ信号を前記発振RF信号と混合して、前記第1のベースバンドアナログ信号および前記第2のベースバンドアナログ信号をアップコンバートするものであり、
前記第1のモードにおける前記指定された時間期間は、前記周波数合成器のセトリング期間に対応する、請求項4に記載の電子デバイス。
【請求項６】
アンテナと、
前記送信機回路を前記アンテナに選択的に結合するためのスイッチと
をさらに備え、
前記第1のモードにおいて、前記スイッチは、前記第2のアナログ信号を送信するために前記送信機回路を前記アンテナに結合するものであり、前記第1のアナログ信号を破棄するために前記送信機回路を前記アンテナから減結合するものである、請求項1に記載の電子デバイス。
【請求項７】
前記第1のモードにおいて前記第1のアナログ信号および前記第2のアナログ信号を増幅するためにアクティブ化されるべき電力増幅器をさらに備える、請求項6に記載の電子デバイス。
【請求項８】
前記送信フレームは、第1の送信フレームであり、
前記指定された時間期間は、プログラム可能な期間であり、
前記MACは、前記プログラム可能な期間が前記第1のモードの場合よりも第2のモードの場合のほうが短くなるように構成可能であり、
前記第2のモードにおいて、前記MACは、前記プログラム可能な期間の始めに第2の送信フレームの生成を開始するものである、請求項1に記載の電子デバイス。
【請求項９】
前記第1のモードおよび前記第2のモードの前記プログラム可能な期間の終わりにアクティブ化されるべき電力増幅器をさらに備え、
前記送信機回路が、前記第1のモードにおいて前記指定された時間期間の前記第1の部分の間にアクティブ化されるべきであり、前記第2のモードにおいて前記プログラム可能な期間の前記終わりにアクティブ化されるべきDACを備える、請求項8に記載の電子デバイス。
【請求項１０】
前記MACに結合され、前記第1のモードおよび前記第2のモードから選択する値を記憶するためのビットフィールドを備える制御レジスタをさらに備える、請求項8に記載の電子デバイス。
【請求項１１】
前記制御レジスタが、前記プログラム可能な期間の継続時間を指定する値を記憶するための継続時間フィールドをさらに備える、請求項10に記載の電子デバイス。
【請求項１２】
チャネルをリッスンし、前記チャネルがアイドルであるかどうかを判断するための受信機回路をさらに備え、
前記第1のモードにおいて、前記MACは、前記チャネルがアイドルであると前記受信機回路が判断すると、前記ダミーフレームを生成するものであり、
前記第2のモードにおいて、前記MACは、前記チャネルがアイドルであると前記受信機回路が判断すると、前記第2の送信フレームを生成するものである、請求項8に記載の電子デバイス。
【請求項１３】
信号送信の方法であって、
第1のモードにおいて、
チャネルをリッスンするステップと、
前記チャネルがアイドルであると判断するステップと、
前記チャネルがアイドルであるという判断に基づき、ダミーフレームおよび送信フレームを連続的に生成するステップと、
前記ダミーフレームを第1のアナログ信号に変換するステップと、
前記第1のアナログ信号を破棄するステップと、
前記送信フレームを第2のアナログ信号に変換するステップと、
チャネル上で前記第2のアナログ信号を送信するステップと
を含む方法。
【請求項１４】
前記送信フレームが第1の送信フレームであり、前記方法が、
第2のモードにおいて、
前記チャネルをリッスンするステップと、
前記チャネルがアイドルであると判断するステップと、
前記チャネルがアイドルであると判断されると、第2の送信フレームを生成するステップと、
前記第2の送信フレームを第3のアナログ信号に変換するステップと、
前記チャネル上で前記第3のアナログ信号を送信するステップと
をさらに含む、請求項13に記載の方法。
【請求項１５】
前記第1のモードにおいて、前記リッスンするステップが第1の継続時間にわたって実行され、
前記第2のモードにおいて、前記リッスンするステップが第2の継続時間にわたって実行され、
前記第2の継続時間が前記第1の継続時間よりも長い、請求項14に記載の方法。
【請求項１６】
前記第1のモードおよび前記第2のモードにおける前記リッスンするステップがプログラム可能な継続時間にわたって実行され、
前記方法が、前記プログラム可能な継続時間を前記第1のモードの場合よりも前記第2のモードの場合のほうが長くなるように設定するステップをさらに含む、請求項14に記載の方法。
【請求項１７】
前記第1のアナログ信号を破棄するステップが、前記第1のアナログ信号を非アクティブ化された電力増幅器に与えるステップを含み、
前記第2のアナログ信号を送信するステップが、前記電力増幅器をアクティブ化するステップを含む、請求項13に記載の方法。
【請求項１８】
前記ダミーフレームを前記第1のアナログ信号に変換するステップが、
前記ダミーフレーム中のデータをデジタルサンプルに変換するステップと、
前記デジタルサンプルを第1のベースバンドアナログ信号に変換するステップと、
前記第1のベースバンドアナログ信号をRFにアップコンバートするステップと
を含む、請求項17に記載の方法。
【請求項１９】
送信機回路が、前記ダミーフレームを前記第1のアナログ信号に変換し、前記送信フレームを前記第2のアナログ信号に変換し、
アンテナが、前記チャネル上で前記第2のアナログ信号を送信し、
スイッチが、前記送信機回路を前記アンテナに選択的に結合し、
前記第1のアナログ信号を破棄するステップが、前記送信機回路を前記アンテナから減結合するように前記スイッチを開くステップを含み、
前記第2のアナログ信号を送信するステップが、前記送信機回路を前記アンテナに結合するように前記スイッチを閉じるステップを含む、請求項13に記載の方法。
【請求項２０】
前記ダミーフレームを前記第1のアナログ信号に変換するステップが、
前記ダミーフレーム中のデータをデジタルサンプルに変換するステップと、
前記デジタルサンプルを第1のベースバンドアナログ信号に変換するステップと、
前記第1のベースバンドアナログ信号を無線周波にアップコンバートするステップと、
前記アップコンバートされたアナログ信号を増幅するステップと
を含む、請求項19に記載の方法。
【請求項２１】
前記方法が、周波数合成器を使用して、発振RF信号を生成するステップをさらに含み、
前記ダミーフレームを前記第1のアナログ信号に変換するステップが、第1のベースバンドアナログ信号を生成し、前記第1のベースバンドアナログ信号を前記発振RF信号と混合して、前記第1のベースバンドアナログ信号をRFにアップコンバートするステップを含み、
前記送信フレームを前記第2のアナログ信号に変換するステップが、第2のベースバンドアナログ信号を生成し、前記第2のベースバンドアナログ信号を前記発振RF信号と混合して、前記第2のベースバンドアナログ信号をRFにアップコンバートするステップを含み、
前記ダミーフレームを前記第1のアナログ信号に変換するステップが、前記送信フレームを前記第2のアナログ信号に変換するステップの前に、前記発振RF信号の周波数がセトリングするのを可能にする、請求項13に記載の方法。
【請求項２２】
タイミング解析に少なくとも部分的に基づいて、前記第1のモードおよび前記第2のモードから選択するステップをさらに含む、請求項14に記載の方法。
【請求項２３】
送信のタイプに少なくとも部分的に基づいて、前記第1のモードおよび前記第2のモードから選択するステップをさらに含む、請求項14に記載の方法。
【請求項２４】
電子デバイス内の1つまたは複数のプロセッサによって実行されると、前記電子デバイスに、
第1のモードにおいてチャネルをリッスンさせ、
前記チャネルがアイドルであるかを判断させ、
前記チャネルがアイドルであるという判断に基づき、第1のモードにおいてダミーフレームおよび送信フレームを連続的に生成させ、
前記ダミーフレームを第1のアナログ信号に変換させ、
前記第1のアナログ信号を破棄させ、
前記送信フレームを第2のアナログ信号に変換させ、
チャネル上で前記第2のアナログ信号を送信させる命令を記憶した非一時的コンピュータ可読記憶媒体。
【請求項２５】
前記送信フレームは、第1の送信フレームであり、
前記命令は、前記1つまたは複数のプロセッサによって実行されると、さらに前記電子デバイスに、
第2のモードにおいて前記チャネルをリッスンさせ、前記チャネルがアイドルであるかどうかを判断させ、
前記チャネルがアイドルであると判断されると、前記第2のモードにおいて第2の送信フレームを生成させ、
前記第2の送信フレームを第3のアナログ信号に変換させ、
前記チャネル上で前記第3のアナログ信号を送信させる、請求項24に記載のコンピュータ可読記憶媒体。
【請求項２６】
前記命令は、前記1つまたは複数のプロセッサによって実行されると、前記電子デバイスに、
前記第1のアナログ信号を破棄するように電力増幅器を非アクティブ化させ、
前記第2のアナログ信号を送信するように前記電力増幅器をアクティブ化させる、請求項24に記載のコンピュータ可読記憶媒体。
【請求項２７】
前記命令は、前記1つまたは複数のプロセッサによって実行されると、前記電子デバイスに、
前記第1のアナログ信号を破棄するために、送信機回路をアンテナから減結合するようにスイッチを開かせ、
前記第2のアナログ信号を送信するために、前記送信機回路を前記アンテナに結合するように前記スイッチを閉じさせる、請求項24に記載のコンピュータ可読記憶媒体。
【請求項２８】
チャネルをリッスンするための手段と、
前記チャネルがアイドルであるかどうかを判断するための手段と、
前記チャネルがアイドルであるという判断に基づき、第1の送信フレームが後に続くダミーフレームを含むフレームを生成するための手段と、
前記ダミーフレームを第1のアナログ信号に変換することおよび前記送信フレームを第2のアナログ信号に変換することを含む、フレームをアナログ信号に変換するための手段と、
前記第1のアナログ信号を破棄し、チャネル上で前記第2のアナログ信号を送信するための手段と
を備える電子デバイス。
【請求項２９】
フレームを生成するための前記手段は、第1のモードおよび第2のモードで動作可能であり、
前記第1のモードにおいて、フレームを生成するための前記手段は、前記チャネルがアイドルであると判断したことに応答して、前記第1の送信フレームが後に続く前記ダミーフレームを生成するものであり、
前記第2のモードにおいて、フレームを生成するための前記手段は、前記チャネルがアイドルであると判断したことに応答して、第2の送信フレームを生成するものである、請求項28に記載の電子デバイス。
【請求項３０】
前記第1のアナログ信号を破棄し、前記第2のアナログ信号を送信するための前記手段が、RFアナログ信号を選択的に増幅するための手段を備える、請求項28に記載の電子デバイス。
【請求項３１】
前記第1のアナログ信号を破棄し、前記第2のアナログ信号を送信するための前記手段が、アンテナを、フレームをアナログ信号に変換するための前記手段に選択的に結合するための手段を備える、請求項28に記載の電子デバイス。
【発明の詳細な説明】
【技術分野】
【０００１】
本実施形態は一般に通信システムに関し、より具体的には、信号を送信するときのノイズ軽減に関する。
【背景技術】
【０００２】
低いエラーレート(たとえば、低いエラーベクトル振幅すなわちEVM)を有するように通信デバイス(たとえば、ワイヤレス通信デバイス)を設計することにより、重大なエンジニアリングの課題が提示される。たとえば、受信モードと送信モードとの間の切替えは、増大するEVMとして現れる過渡ノイズをもたらす。場合によっては、このノイズは、RF周波数合成器によって与えられる基準発振信号の周波数に影響を及ぼし、このことにより切替え後にセトリングするのに時間がかかる。その結果、パケットヘッダトレーニングフィールドを使用して実行される周波数推定は不正確である可能性があり、したがって、その周波数推定は、パケット全体を使用して実行される周波数推定とは相違が生じる。不正確な周波数推定は増大するEVMをもたらす。
【発明の概要】
【課題を解決するための手段】
【０００３】
本実施形態は例として示され、添付の図面の図によって限定されるものではない。
【図面の簡単な説明】
【０００４】
【図１】いくつかの実施形態による、ワイヤレスデバイスおよびアクセスポイントがワイヤレスローカルエリアネットワークを構成するシステムのブロック図である。
【図２Ａ】いくつかの実施形態による、データを送信するための回路を示す図である。
【図２Ｂ】いくつかの実施形態による送受信機回路を示す図である。
【図３Ａ】異なるIEEE  802.11プロトコルによるフレームフォーマットの一例を示す図である。
【図３Ｂ】異なるIEEE  802.11プロトコルによるフレームフォーマットの一例を示す図である。
【図３Ｃ】異なるIEEE  802.11プロトコルによるフレームフォーマットの一例を示す図である。
【図４Ａ】いくつかの実施形態による、フレーム生成のためのタイミングおよび動作モードの間の対応する信号送信を示すタイミング図である。
【図４Ｂ】いくつかの実施形態による、フレーム生成のためのタイミングおよび動作モードの間の対応する信号送信を示すタイミング図である。
【図４Ｃ】いくつかの実施形態による、フレーム生成のためのタイミングおよび動作モードの間の対応する信号送信を示すタイミング図である。
【図５】いくつかの実施形態による、信号生成および送信を実行する方法を示すフローチャートである。
【図６】いくつかの実施形態による、媒体アクセスコントローラがソフトウェアで実装される電子デバイスのブロック図である。
【発明を実施するための形態】
【０００５】
同様の参照番号は、図および明細書を通じて、対応する部品を指す。
【０００６】
送信フレームおよび対応するアナログ信号を生成する前に、送信機においてウォームアップ時間が与えられる実施形態が開示される。ダミーフレームおよび対応するアナログ信号は、ウォームアップ時間の間に生成され得る。
【０００７】
いくつかの実施形態では、電子デバイスは、フレームを生成するための媒体アクセスコントローラ(MAC)と、フレームを送信のための無線周波(RF)アナログ信号に変換するための送信機回路とを含む。MACは、指定された時間期間によるRFアナログ信号送信の開始に先立つ時間にフレーム生成を開始するものである。第1のモードにおいて、MACは、指定された時間期間の第1の部分の間にダミーフレームを生成し、指定された時間期間の後続の第2の部分の間に送信フレームの生成を開始するものである。やはり第1のモードにおいて、送信機回路は、ダミーフレームを第1のアナログ信号に変換し、第1のアナログ信号を破棄し、送信フレームを第2のアナログ信号に変換し、第2のアナログ信号を送信するものである。
【０００８】
いくつかの実施形態では、信号生成の方法は、ダミーフレームおよび送信フレームを連続的に生成するステップを含む。ダミーフレームは第1のアナログ信号に変換され、第1のアナログ信号は破棄される。送信フレームは第2のアナログ信号に変換され、第2のアナログ信号はチャネル上で送信される。
【０００９】
以下の説明では、本開示の完全な理解を与えるために具体的な構成要素、回路、および処理の例などの多数の具体的な詳細が記載される。また、以下の説明では、説明の目的で、本実施形態の完全な理解を与えるために具体的な名称が記載される。しかしながら、これらの具体的な詳細が本実施形態を実施するのに必要でなくてもよいことは当業者には明らかであろう。他の場合には、本開示が不明瞭になることを回避するために、周知の回路およびデバイスをブロック図形式で示す。本明細書で使用する「結合された」という用語は、1つまたは複数の介在構成要素または回路に直接接続されるか、またはそれらを介して接続されることを意味する。本明細書で説明する様々なバスを介して与えられる信号のいずれも、他の信号で時分割多重化され、1つまたは複数の共通バスを介して与えられ得る。加えて、回路要素間またはソフトウェアブロック間の相互接続は、バスとしてまたは単一信号線として示され得る。バスの各々は代替として単一信号線であってもよく、単一信号線の各々は代替としてバスであってもよく、単一信号線またはバスは構成要素間の通信のための無数の物理的または論理的機構のうちの任意の1つまたは複数を表し得る。本実施形態は本明細書で説明する特定の例に限定されるものと解釈すべきではなく、むしろ、その範囲内に添付の特許請求の範囲によって定義されるすべての実施形態を含むものと解釈すべきである。
【００１０】
図1は、いくつかの実施形態による、ワイヤレスデバイス(WD)110およびアクセスポイント(AP)120を含むシステム100のブロック図である。ワイヤレスデバイス110およびアクセスポイント120は、ワイヤレスローカルエリアネットワーク(WLAN)130を構成する。WLAN  130内のそれぞれのワイヤレスデバイス110は、1つもしくは複数のアクセスポイント130および/または他のワイヤレスデバイス110とワイヤレスに通信し得る。いくつかの実施形態では、それぞれのワイヤレスデバイス110はモバイルデバイス(たとえば、携帯電話、携帯情報端末、タブレットコンピュータ、ラップトップコンピュータなど)である。いくつかの実施形態では、WLAN  130は、IEEE  802.11プロトコルファミリーにおける1つまたは複数のプロトコルに従って実装され、したがって、WiFiネットワークである。したがって、ワイヤレスデバイス110およびアクセスポイント120の各々は、WiFi対応であり得る。
【００１１】
図2Aは、いくつかの実施形態による、データを送信するための回路200を示す。回路200は、たとえば、WLAN  130(図1)のワイヤレスデバイス110およびアクセスポイント120の各々に見出され得る。回路200では、媒体アクセスコントローラ(MAC)202は、フレームを生成し、フレームを送信機回路204に与え、送信機回路204は、フレームを送信のための無線周波(RF)アナログ信号に変換する。送信機回路204は、デジタルベースバンド(BB)処理回路206と、デジタルアナログ変換器(DAC)208と、アナログベースバンドローパスフィルタ(BB  LPF)210と、混合器212とを含む。いくつかの実施形態では、BB処理回路206は、フレーム内のデータを符号化するための符号器と、符号化されたデータをシンボルに変調するための変調器と、シンボルに基づいてデジタルサンプルを生成するための逆高速フーリエ変換(IFFT)実装とを含む。BB処理回路206は、デジタルサンプルをDAC  208に与え、DAC  208は、デジタルサンプルをベースバンドアナログ信号に変換する。アナログBB  LPF  210は、ベースバンドアナログ信号をフィルタリングし、フィルタリングされたベースバンドアナログ信号を混合器212に与え、混合器212は、フィルタリングされたベースバンドアナログ信号を無線周波にアップコンバートする。このアップコンバージョンを実行するために、周波数合成器214は、RF発振信号を生成し、RF発振信号を混合器212に与え、混合器212は、フィルタリングされたベースバンドアナログ信号をRF発振信号と混合して、RFアナログ信号を生成する。したがって、混合器212はアップコンバータとして機能する。RF電力増幅器(PA)216はRFアナログ信号を増幅し、RFアナログ信号はチャネル(たとえば、ワイヤレスチャネル)上でアンテナ218を介して送信される。
【００１２】
回路200は、動作モードを指定する値を記憶する制御レジスタ220も含む。たとえば、制御レジスタ220は、MAC  202がフレーム生成を開始する時間と、PA  216が信号の出力を開始する時間との間の遅延の継続時間を指定する値を記憶するビットフィールドを含む。この値はMAC  202および送信機回路204に伝播される。たとえば、MAC  202内の制御レジスタ222は、BB処理回路206、DAC  208、アナログBB  LPF  210、および/または混合器212内のレジスタ(図示せず)と同数の制御レジスタ220を複製し得る。制御レジスタ220に第1の値を記憶する(たとえば、レジスタ内のビットフィールドを「1」に設定する)ことにより、回路200が第1のモード(たとえば、図4B、または代替として図4Cにおいて以下に示すモード)で動作するようにプログラムされ、制御レジスタに第2の値を記憶する(たとえば、レジスタ内のビットフィールドを「0」に設定する)ことにより、回路200が第2のモード(たとえば、図4Aにおいて以下に示すモード)で動作するようにプログラムされる。
【００１３】
MAC  202は、MAC  202によるフレーム生成の開始と信号送信の開始との間の時間期間に対応するカウンタ224を含み得る。いくつかの実施形態では、カウンタ224はプログラム可能である。たとえば、カウンタ224がカウントする値は、レジスタ220および/または222のフィールドで指定され得るか、またはレジスタ220および/または222のフィールドに基づいて判断され得る。
【００１４】
ワイヤレスデバイス110およびアクセスポイント120(図1)は各々、受信機回路ならびにデータを送信するための回路200を含む。たとえば、ワイヤレスデバイス110およびアクセスポイント120は各々、いくつかの実施形態による、図2Bに示す送受信機回路230を含む。送受信機回路230は、図2AのMAC  202と、送信機回路204と、周波数合成器214と、電力増幅器216と、アンテナ218とを含む。加えて、送受信機回路230は、受信機回路234と、所与の時間に送信機回路204および電力増幅器216、または受信機回路234のいずれかをアンテナ218に結合するためのスイッチ232とを含む。したがって、スイッチ232は、信号送信のために送信機回路204および電力増幅器216をアンテナ218に選択的に結合し、信号受信のために受信機回路234をアンテナ218に選択的に結合する。したがって、送受信機回路230は、それぞれの指定された時間スロットの間に、信号が送信されるかまたは受信されるが、送信と受信の両方は行われないように、時分割多重(TDD)を実行し得る。
【００１５】
受信機回路234は、アンテナ218を介して受信されたRFアナログ信号を増幅するための増幅器236を含む。増幅器236は、増幅されたRFアナログ信号を混合器238に与え、混合器238は、増幅されたRFアナログ信号を周波数合成器214からのRF発振信号と混合することによって、増幅されたRFアナログ信号をベースバンドにダウンコンバートする。ダウンコンバートされたアナログ信号は、アナログBB  LPF  240によってフィルタリングされ、次いで、アナログデジタル変換器(ADC)242によってデジタルサンプルに変換される。ADC  242はBB処理回路244に結合され、BB処理回路244は、ADC  242からのデジタルサンプルに基づいてフレームを生成し、フレームをMAC  202に与える。
【００１６】
回路200(図2A)または230(図2B)を使用して生成され、送信された(および/または受信された)フレームは、(たとえば、1つまたは複数のOFDMシンボルの)データフィールドならびにプリアンブルフィールドを含む。図3A〜図3Cは、異なるIEEE  802.11(すなわち、WiFi)プロトコルによるフレームフォーマットの例を示す。図3Aは、IEEE  802.11a/gプロトコルで定義されたフレーム300のフォーマットを示す。フレーム300は、レガシーショートトレーニングフィールド(L-STF)302、2つのレガシーロングトレーニングフィールド(L-LTF  1  &  2)304、およびレガシー信号フィールド(L-SIG)306を含むプリアンブルが先行するデータフィールド308を有する。フレーム300を受信するデバイスは、粗周波数推定ならびに自動利得制御およびタイミング回復のためにL-STF  302を使用し、高精度周波数推定ならびにチャネル推定および高精度タイミング回復のためにL-LTF  1  &  2  304を使用する。L-SIG  306は、変調およびコーディング情報を伝えるために使用され得る。
【００１７】
図3Bは、IEEE  802.11nプロトコルで定義されたフレーム320のフォーマットを示す。フィールド302、304、および306(図3A)に加えて、フレーム320は、そのプリアンブル内に、2つの高スループット信号フィールド(HT-SIG  1  &  2)322、高スループットショートトレーニングフィールド(HT-STF)324、および4つの高スループットロングトレーニングフィールド(HT-LTF)326を含む。図3Cは、IEEE  802.11acプロトコルで定義されたフレーム340のフォーマットを示す。フィールド302、304、および306(図3A〜図3B)に加えて、フレーム340は、そのプリアンブル内に、第1の超高スループット信号フィールド(VHT-SIG  A)342、超高スループットショートトレーニングフィールド(VHT-STF)344、および4つの超高スループットロングトレーニングフィールド(VHT-LTF)346を含む。また、データフィールド348は、第2の超高スループット信号フィールド(VHT-SIG  B)ならびにデータペイロードを含み得る。
【００１８】
HT-SIG  1  &  2  322、VHT-SIG  A  342、およびVHT-SIG  Bは、変調およびコーディング情報を伝えるために使用され得る。HT-STF  324およびVHT-STF  344は、自動利得制御のために使用され得る。HT-LTF  326およびVHT-LTF  346は、多入力多出力(MIMO)チャネル推定のために使用され得る。
【００１９】
したがって、図3A〜図3Cに示すものなどのフォーマットを有するフレームは、周波数推定に使用され得るプリアンブルフィールド(たとえば、L-STF  302およびL-LTF  1  &  2  304)を含む。受信側デバイスは、送信側デバイスから受信された信号について周波数推定を実行し、それに応じて補償し、それによって受信側デバイスのエラーレート(たとえば、EVM)を低減する。しかしながら、周波数推定を実行するためにフレーム内のプリアンブルフィールドを使用することは、送信側デバイスにおけるローカル発振信号の周波数(たとえば、図2A〜図2Bの周波数合成器214によって生成されたRF発振信号の周波数)がフレームに対応するアナログ信号の生成および送信を通じて一定であることを前提とする。この前提は必ずしも正当化されない。たとえば、電子デバイス(たとえば、図1のワイヤレスデバイス110またはアクセスポイント120)が信号の受信から信号の送信に切り替えるとき、この切替えは周波数合成器214(図2A〜図2B)に結合されたノイズを生成し得る。このノイズが落ち着き、周波数合成器214が定常状態を達成するまで、周波数合成器214によって生成されたRF発振信号の周波数は所望の値と異なり得る。したがって、特定のプリアンブルフィールド(たとえば、図3A〜図3CのL-STF  302またはL-LTF  1  &  2  304)に対応する信号の部分をアップコンバートするために使用される周波数は、(たとえば、図3A〜図3Cのデータフィールド308または348に対応する)データペイロードに対応する信号の部分をアップコンバートするために使用される周波数と異なり得る。したがって、プリアンブルに基づく周波数推定は不正確であり、増大するEVMをもたらし得る。
【００２０】
図4Aは、不正確なプリアンブルに基づく周波数推定の影響を受けやすい動作モードの間の回路200(図2A)および/または230(図2B)の動作のタイミングを示すタイミング図400である。いくつかの実施形態によれば、図4Aの動作モードは通常動作モードと呼ばれ得る。いくつかの実施形態では、回路200および/または230は、特定の値(たとえば、「0」)がレジスタ220および/または222(図2A〜図2B)の指定されたビットフィールドに記憶されている場合には、図4Aの動作モードで動作する。
【００２１】
競合ベース時間スロット408とも呼ばれるキャリアセンス多元接続(CSMA)時間スロット408は、時間t1から時間t5にわたる。一例では、時間スロット408は継続時間が約9usである。時間スロット408の第1の部分410の間、送信すべきデータを有するデバイス内の受信機回路(たとえば、図2Bの受信機回路234を含む)はチャネルをリッスンして、チャネルがアイドルであるか、または別のデバイスが送信中であるかを判断する。第1の部分410は、t1からt5に先立つ時間t4にわたる。一例では、第1の部分410は継続時間が約7usである。チャネルがアイドルである場合、他のデバイスによる送信が検出されないように、MAC  202(図2A〜図2B)は、送信フレーム(「Txフレーム」)制御信号402のアサーションによって示されるように、t4で開始する送信フレームを生成し始める。いくつかの実施形態では、送信フレームはIEEE  802.11プロトコルに従って生成され、図3A、図3B、または図3Cのプリアンブルフィールドを含む。いくつかの実施形態では、MAC  202は、通常動作モードを指定するために、送信フレームのヘッダ内にビットを設定する。
【００２２】
MAC  202が送信フレームを生成するとき、MAC  202は送信フレームを送信機回路204(図2A〜図2B)に与える。t5において、送信機有効化(TX  On)制御信号404のアサーションによって示されるように、送信機回路204(図2A〜図2B)、またはその部分が有効化される。たとえば、DAC  208、アナログBB  LPF  210、および混合器212がアクティブ化され、BB処理回路206の出力もアクティブ化され得る。PA有効化(PA  On)制御信号406のアサーションによって示されるように、電力増幅器216もt5においてアクティブ化される。電力増幅器216のアクティブ化はRFアナログ信号送信を開始する。したがって、MAC  202によるフレーム生成の開始は、t4からt5にわたる指定された時間期間412によるRFアナログ信号送信の開始に先立つ。一例では、指定された時間期間412は継続時間が約2usである。指定された時間期間412は、MAC  202と電力増幅器216(図2A〜図2B)との間の遅延に対応し得る。
【００２３】
送信機回路204内の様々な構成要素(デジタル構成要素206および208とアナログ構成要素210および212の両方を含む)のアクティブ化によって生じるノイズなどの、周波数合成器214に影響を及ぼすノイズは、RFアナログ信号送信がt5で始まるときにセトリングしていない可能性がある。その結果、周波数合成器214によって与えられるRF発振信号の周波数はまだ定常状態に達しておらず、受信側デバイスにエラーを引き起こす可能性がある。この問題を回避するために、フレーム生成の開始とRFアナログ信号送信の開始との間の既定の期間が増大され得る。
【００２４】
図4Bは、タイミング図400(図4A)に対してフレーム生成の開始とRFアナログ信号送信の開始との間の既定の期間が増大された動作モードの間の回路200(図2A)および/または230(図2B)の動作のタイミングを示すタイミング図430である。いくつかの実施形態によれば、タイミング図430に示す動作モードは、送信機ウォームアップモードと呼ばれ得る。いくつかの実施形態では、回路200および/または230は、特定の値(たとえば、「1」)がレジスタ220および/または222(図2A〜図2B)の指定されたビットフィールドに記憶されている場合には、図4Bのウォームアップモードで動作する。
【００２５】
タイミング図430では、タイミング図400(図4A)の場合と同様に、CSMA時間スロット408は時間t1から時間t5にわたる。時間スロット408の第1の部分440の間、受信機回路(たとえば、図2Bの受信機回路234を含む)はチャネルをリッスンして、チャネルがアイドルであるか、または別のデバイスが送信中であるかを判断する。第1の部分440はt1から時間t2にわたり、したがって、第1の部分410(図4A)よりも短い。いくつかの例では、第1の部分440は継続時間が1〜2usの範囲内にある。チャネルがアイドルである場合、MAC  202(図2A〜図2B)は、送信フレーム(「Txフレーム」)制御信号432のアサーションによって示されるように、t2で開始するダミーフレームを生成し始める。いくつかの実施形態では、ダミーフレームはIEEE  802.11プロトコルに従って生成され、図3A、図3B、もしくは図3Cのプリアンブルフィールドまたはその部分(たとえば、図3A〜図3CのL-STF  302およびL-LTF  1  &  2  304を含む)を含む。いくつかの実施形態では、MAC  202は、ウォームアップ動作モードを有効化するために、ダミーフレームのヘッダ内にビットを設定する。
【００２６】
MAC  202がダミーフレームを生成するとき、MAC  202はダミーフレームを送信機回路204(図2A〜図2B)に与える。時間t3において、TX  On制御信号434のアサーションによって示されるように、送信機回路204(図2A〜図2B)、またはその部分が有効化される。たとえば、DAC  208、アナログBB  LPF  210、および混合器212がアクティブ化され、BB処理回路206の出力もアクティブ化され得る。したがって、t2とt3との間の(たとえば、約2usの)指定された時間期間444は、送信機回路204のアクティブ化をMAC  202によるフレーム生成の開始から分離する。t3においてDAC  208がアクティブ化すると、送信機回路204はダミーフレームに対応するベースバンドアナログ信号を生成し始める。このベースバンドアナログ信号はBB  LPF  210によってフィルタリングされ、混合器212(図2A〜図2B)によってRFにアップコンバートされて、ダミーフレームに対応するRFアナログ信号になる。しかしながら、期間438の間のPA  On制御信号436のデアサーションによって示されるように、電力増幅器216(図2A〜図2B)がまだアクティブ化されていないので、このRFアナログ信号は送信されない。
【００２７】
時間t4において、MAC  202はダミーフレームの生成を停止し、送信フレームを生成し始める。いくつかの実施形態では、送信フレームはIEEE  802.11プロトコルに従って生成され、図3A、図3B、または図3Cのプリアンブルフィールドを含む。いくつかの実施形態では、MAC  202は、ウォームアップ動作モードを有効化するために、送信フレームのヘッダ中にビットを設定する。送信機回路204(図2A〜図2B)は、送信フレームをRFアナログ信号に変換する。たとえば、時間t5においてまたは時間t5のあたりで、BB処理回路206(図2A〜図2B)は、L-STF  302(図3A〜図3C)に対応するデータサンプルの生成を再開する。いくつかの実施形態では、このL-STF  302再開は、制御レジスタ220および/または222(図2A〜図2B)に記憶された値によるならびに/あるいはダミーフレームおよび/または送信フレームのヘッダ内のビットの値による送信機ウォームアップモードの有効化に応答して実行される。
【００２８】
t5においても、PA  On制御信号436のアサーションによって示されるように、電力増幅器216がアクティブ化され、その出力がアンテナ218に与えられる。(タイミング図430が図2Bの回路230を使用して実施される場合、時間t5においてまたは時間t5の前に電力増幅器216をアンテナ218に結合するために、スイッチ232が閉じられる。)したがって、送信フレームに対応するRFアナログ信号は、たとえば、L-STF  302(図3A〜図3C)に対応する部分で始まる時間t5で開始して、送信される。したがって、タイミング図430におけるMAC  202によるフレーム生成の開始は、時間t2から時間t5にわたる指定された時間期間438によるRFアナログ信号送信の開始に先立つ。一例では、指定された時間期間438は継続時間が約7usである。
【００２９】
図4Bのウォームアップモードにおける指定された時間期間438は図4Aの通常モードにおける指定された時間期間412よりも長いので、周波数合成器214によって出力されたRF発振信号は、信号送信が始まる前に一定の周波数にセトリングするための時間を有する。ダミーフレームに対応するRFアナログ信号は破棄されるので、ダミーフレームに対応するRFアナログ信号の生成中のRF発振信号の周波数のいかなる変動も、送信される信号の品質に影響を及ぼさない。
【００３０】
いくつかの実施形態では、指定された時間期間438は、(たとえば、フレーム生成の開始とt5におけるL-STF再開との間の時間がプログラム可能になるように)プログラム可能な継続時間を有する。たとえば、その継続時間は、期間442の継続時間を調整することによってプログラムされ得、期間442は、時間t2から時間t4にわたり、したがって、指定された時間期間438の一部である。いくつかの実施形態では、期間442の継続時間はカウンタ224(図2A〜図2B)を使用して決定される。カウンタ224がカウントする値は、たとえば、制御レジスタ220および/または222(図2A〜図2B)のビットフィールドで指定される。期間442の継続時間は、システムクロック(たとえば、80または88MHzクロック)の周波数で除算したカウンタ224のこの値に等しく、これは、カウンタ224がカウントするレートを決定する。カウンタ224の最大値は、カウンタ224が指定する時間が期間412の継続時間を引いた時間スロット408の継続時間よりも小さくなるように制限される。いくつかの実施形態では、カウンタ224はソフトウェアで実装および/または制御される。
【００３１】
いくつかの実施形態では、ダミーフレームに対応するアナログ信号は、電力増幅器216を非アクティブ化する代わりに(またはそれに加えて)、スイッチ232(図2B)を使用して電力増幅器216をアンテナ218から減結合することによって破棄される。図4Cは、いくつかのそのような実施形態における回路230(図2B)の動作のタイミングを示すタイミング図460である。タイミング図430(図4B)の動作モードと同様に、タイミング図460に示す動作モードは、送信機ウォームアップモードと呼ばれ得る。いくつかの実施形態では、回路230(図2B)は、特定の値(たとえば、「1」)がレジスタ220および/または222(図2B)の指定されたビットフィールドに記憶されている場合には、図4Cの動作モードで動作する。
【００３２】
タイミング図460の時間t1において、スイッチ制御信号464のデアサーションによって示されるように、スイッチ232は電力増幅器216とアンテナ218との間で開く。したがって、電力増幅器216はアンテナ218から減結合される。たとえば、スイッチ232は、このときに、アンテナ218を受信機回路234(図2B)に結合する。送信フレーム制御信号432およびTX  On制御信号434によって示されるように、MAC  202およびDAC  208の動作のタイミングはタイミング図430(図4B)の場合と同じである。電力増幅器216は時間t3においてアクティブ化される(たとえば、DAC  208とともに)が、これはタイミング図430(図4B)において電力増幅器216がアクティブ化される時間t5よりも早い。電力増幅器216のアクティブ化は、PA  On制御信号462のアサーションによって示される。電力増幅器216のアクティブ化にもかかわらず、スイッチ232が開いているので、ダミーフレームに対応するRFアナログ信号は送信されない。
【００３３】
時間t4において、MAC  202はダミーフレームの生成を停止し、送信フレームを生成し始める。(ダミーフレームと送信フレームは両方とも、IEEE  802.11プロトコルに従って生成され、図3A、図3B、または図3Cのプリアンブルフィールドを含み得る。)送信機回路204(図2A〜図2B)は、送信フレームをRFアナログ信号に変換する。時間t5において、スイッチ制御信号464のアサーションによって示されるように、スイッチ232が閉じられ、したがって、電力増幅器216をアンテナ218に結合する。したがって、送信フレームに対応するRFアナログ信号は、たとえば、L-STF  302(図3A〜図3C)に対応する部分で始まるt5で開始して、送信される。したがって、タイミング図430(図4B)の場合と同様に、MAC  202によるフレーム生成の開始は、指定された時間期間438によるRFアナログ信号送信の開始に先立つ。
【００３４】
いくつかの実施形態では、デバイスは、1つまたは複数の既定の基準に従って、図4Aの通常モードおよび図4Bまたは図4Cのウォームアップモードから選択する。たとえば、モード選択は、特定の送信の利用可能なタイミングに基づく。衝突をもたらさない場合はウォームアップモードが選択され、そうでない場合は通常モードが選択される。パケットのスケジュールされた送信と前のパケットの受信との間の時間は、プログラム可能なウォームアップ時間とベースバンド送信機遅延の合計と比較される。T1がスケジュールされたパケット送信時間(たとえば、図4A〜図4Cの時間スロット408の終わりにあるt5)であり、T2が前のパケットの到着時間(たとえば、t1、到着が図4A〜図4Cの時間スロット408の直前に先立つ場合)であり、Twarm-upがプログラム可能なウォームアップ時間(たとえば、図4B〜図4Cの期間442)であり、TBB-TXがベースバンド送信機遅延(たとえば、図4A〜図4Cの期間412)であるとすると、ウォームアップモードは、
T1-T2>Twarm-up+TBB-TX  (1)
である場合に、選択される。式(1)を満たすことにより、ウォームアップモードがパケット衝突をもたらさないことが保証される。
【００３５】
いくつかの実施形態では、モード選択は、送信のタイプに少なくとも部分的に基づき、式(1)の基準を満たすかどうかにさらに基づき得る。次に、IEEE  802.11プロトコルに関するいくつかの例について説明する。送信がRequest  to  Send/Clear  to  Send(RTS/CTS)機構を使用しない非バーストデータの送信である場合、(たとえば、図4Bまたは図4Cに示す)ウォームアップモードが使用される。送信が肯定応答なし(no-ACK)の短フレーム間隔(SIFS:short  inter-fame  spacing)バーストにおけるものである場合、ウォームアップモードが使用される。これらの2つの例では、受信フレームは送信フレームの直後に来ず、したがって、衝突のリスクなしにウォームアップモードが使用され得る。送信がRTS/CTS機構を使用する場合、モードは利用可能なタイミングの解析に基づいて(たとえば、式(1)を使用して)選択される。同様に、送信が肯定応答あり(with  ACK)のSIFSバーストにおけるものである場合、モードは利用可能なタイミングの解析に基づいて(たとえば、式(1)を使用して)選択される。しかしながら、送信が縮小フレーム間隔(RIFS:reduced  inter-frame  spacing)バーストにおけるものである場合、通常動作モードが選択される。
【００３６】
図5は、いくつかの実施形態による、信号送信を実行する方法500を示すフローチャートである。方法500は、たとえば、ワイヤレスデバイス110またはアクセスポイント120(図1)などの電子デバイス内の回路200および/または230(図2A〜図2B)を使用して実行される。
【００３７】
信号送信のための動作モードが選択される(502)。選択は、たとえば、第1のモード(たとえば、図4Bのウォームアップモード、または代替として図4Cのウォームアップモード)と第2のモード(たとえば、図4Aの通常モード)との間で行われる。いくつかの実施形態では、選択は、利用可能なタイミングの解析に基づいて(たとえば、式(1)に従って)および/または送信のタイプに基づいて行われる。
【００３８】
第1のモードが選択された場合、デバイスは(たとえば、図4B〜図4CのCSMA時間スロット408の期間440の間)チャネルをリッスンし、チャネルがアイドルであるかどうかを判断する(504)。いくつかの実施形態では、リッスンすることはプログラム可能な継続時間にわたって実行される。たとえば、期間440の継続時間は、期間442の継続時間を減少する(または増大する)ことによって(たとえば、図2A〜図2Bのカウンタ224の値を設定することによって)、増大され(または減少され)てもよい。
【００３９】
チャネルがアイドルでない(504でNo)場合、(たとえば、図4B〜図4Cの後続の時間スロット408の間)動作504が繰り返される。チャネルがアイドルである(504でYes)場合、ダミーフレームおよび第1の送信フレームが(たとえば、図4Bのタイミング図430または図4Cのタイミング図460に従って)連続的に生成される(506)。
【００４０】
ダミーフレームは第1のアナログ信号(たとえば、RFアナログ信号)に変換され(508)、破棄される(510)。いくつかの実施形態では、変換すること508は、(たとえば、図2A〜図2BのBB処理回路206を使用して)ダミーフレーム中のデータをデジタルサンプルに変換すること、(たとえば、図2A〜図2BのDAC  208を使用して)デジタルサンプルを第1のベースバンドアナログ信号に変換すること、および(たとえば、図2A〜図2Bの混合器212を使用して)第1のベースバンドアナログ信号をRFにアップコンバートすることを含む。いくつかの実施形態では(たとえば、図4Cの例では)、変換することは、(たとえば、図2Bの電力増幅器216を使用して)アップコンバートされた信号を増幅することをさらに含む。
【００４１】
いくつかの実施形態では、第1のアナログ信号を破棄すること(510)は、(たとえば、図4Bのタイミング図430に従って)電力増幅器216が非アクティブ化されたときに、第1のアナログ信号を電力増幅器216(図2A〜図2B)に与えること(512)を含む。いくつかの実施形態では、第1のアナログ信号を破棄することは、(たとえば、図4Cのタイミング図460に従って)電力増幅器をアンテナ218から減結合するようにスイッチ232(図2B)を開くこと(514)を含む。
【００４２】
送信フレームは、第2のアナログ信号(たとえば、RFアナログ信号)に変換され(516)、チャネル(たとえば、図1のWLAN  130のワイヤレスチャネル)上で送信される(518)。いくつかの実施形態では、変換すること516は、(たとえば、図2A〜図2BのBB処理回路206を使用して)送信フレーム中のデータをデジタルサンプルに変換すること、(たとえば、図2A〜図2BのDAC  208を使用して)デジタルサンプルを第2のベースバンドアナログ信号に変換すること、および(たとえば、図2A〜図2Bの混合器212を使用して)第2のベースバンドアナログ信号をRFにアップコンバートすることを含む。いくつかの実施形態では、第2のアナログ信号を送信することは、(たとえば、図4Bの時間t5において)電力増幅器216(図2A〜図2B)をアクティブ化すること(520)を含む。いくつかの実施形態では、第2のアナログ信号を送信することは、(たとえば、図4Cの時間t5において)電力増幅器216をアンテナ218に結合するようにスイッチ232(図2B)を閉じること(522)を含む。
【００４３】
動作502で第2のモードが選択された場合、デバイスは(たとえば、図4AのCSMA時間スロット408の期間410の間)チャネルをリッスンし、チャネルがアイドルであるかどうかを判断する(524)。いくつかの実施形態では、リッスンすることはプログラム可能な継続時間にわたって実行され、この期間は第1のモードの場合よりも第2のモードの場合のほうが長い。チャネルがアイドルでない(524でNo)場合、(たとえば、図4Aの後続の時間スロット408の間)動作524が繰り返される。
【００４４】
チャネルがアイドルである(524でYes)場合、(たとえば、図4Aのタイミング図400に従って)第2の送信フレームが生成される(526)。第2の送信フレームは第3のアナログ信号に変換される(528)。第3のアナログ信号はチャネル上で送信される(530)。いくつかの実施形態では、変換すること528は、(たとえば、図2A〜図2BのBB処理回路206を使用して)第2の送信フレーム中のデータをデジタルサンプルに変換すること、(たとえば、図2A〜図2BのDAC  208を使用して)デジタルサンプルを第3のベースバンドアナログ信号に変換すること、および(たとえば、図2A〜図2Bの混合器212を使用して)第3のベースバンドアナログ信号をRFにアップコンバートすることを含む。いくつかの実施形態では、送信すること530は、電力増幅器216(図2A〜図2B)を使用して第3のアナログ信号を増幅すること、および増幅された信号をアンテナ218(図2A〜図2B)に与えることを含む。
【００４５】
したがって、方法500は、周波数合成器214(図2B)によって出力されたRF発振信号の周波数が、信号送信が始まる前に定常状態値にセトリングするための時間を含む、第1のモードを提供する。しかしながら、方法500においてモードを選択できることにより、第1のモードがパケット衝突をもたらすと思われるときに第2のモードを選ぶことが可能になる。
【００４６】
方法500は特定の順序で行われるように見えるいくつかの動作を含むが、方法500が連続的にまたは並行して実行され得るより多いまたはより少ない動作を含むことができることは明らかであるはずである。2つ以上の動作の順序は変更されてもよく、2つ以上の動作の実行は重複してもよく、2つ以上の動作は単一の動作に組み合わされてもよい。方法500は、ある反復の間には第1のモードが選択され、別の反復の間には第2のモードが選択されるように繰り返されてもよい。
【００４７】
いくつかの実施形態では、電子デバイス600(たとえば、図1のワイヤレスデバイス110またはアクセスポイント120)に関する図6に示されるように、MAC  202(図2A〜図2B)はソフトウェアで実装される。電子デバイス600は、たとえば、送信機回路204、電力増幅器216、周波数合成器214および/または受信機回路234(図2A〜図2B)を含む物理レイヤデバイス(PHY)602を含む。PHY  602はメディア独立型インターフェース604によって1つまたは複数のプロセッサコア606に結合され、1つまたは複数のプロセッサコア606はメモリ608に結合される。いくつかの実施形態では、メモリ608は、1つまたは複数のプロセッサコア606によって実行するための命令を記憶する非一時的コンピュータ可読媒体(たとえば、EPROM、EEPROM、フラッシュメモリなどの1つまたは複数の不揮発性メモリ要素)を含む。いくつかの実施形態では、命令は、プロセッサコア606によって実行されると、電子デバイス600にMAC  202(図2A〜図2C)の機能を実施させる命令を含む。いくつかの実施形態では、命令は、プロセッサコア606によって実行されると、電子デバイス600に方法500(図5)の全部または一部を実行させる命令を含む。
【００４８】
メモリ608はプロセッサコア606とは別個であるものとして示されているが、メモリ608の全部または一部はプロセッサコア606に組み込まれてもよい。いくつかの実施形態では、メモリ608はプロセッサコア606および/またはPHY  602と同じ集積回路中に実装される。
【００４９】
上記の明細書において、本実施形態について、その特定の例示的な実施形態を参照しながら説明してきた。しかしながら、添付の特許請求の範囲に記載された本開示のより広い趣旨および範囲から逸脱することなく、本実施形態に対して様々な修正および変更が行われ得ることは明らかであろう。したがって、本明細書および図面は、限定的ではなく例示的であると見なされるべきである。
【符号の説明】
【００５０】
100  システム
110  ワイヤレスデバイス(WD)
120  アクセスポイント(AP)
130  ワイヤレスローカルエリアネットワーク(WLAN)
200  回路
202  媒体アクセスコントローラ(MAC)
204  送信機回路
206  デジタルベースバンド(BB)処理回路
208  デジタルアナログ変換器(DAC)
210  アナログベースバンドローパスフィルタ(BB  LPF)
212  混合器
214  周波数合成器
216  RF電力増幅器(PA)
218  アンテナ
220  制御レジスタ
222  制御レジスタ
224  カウンタ
230  送受信機回路
232  スイッチ
234  受信機回路
236  増幅器
238  混合器
240  アナログBB  LPF
242  アナログデジタル変換器(ADC)
244  BB処理回路
300  フレーム
302  レガシーショートトレーニングフィールド(L-STF)
304  レガシーロングトレーニングフィールド(L-LTF  1  &  2)
306  レガシー信号フィールド(L-SIG)
308  データフィールド
320  フレーム
322  高スループット信号フィールド(HT-SIG 1  &  2)
324  高スループットショートトレーニングフィールド(HT-STF)
326  高スループットロングトレーニングフィールド(HT-LTF)
340  フレーム
342  第1の超高スループット信号フィールド(VHT-SIG  A)
344  超高スループットショートトレーニングフィールド(VHT-STF)
346  超高スループットロングトレーニングフィールド(VHT-LTF)
348  データフィールド
400  タイミング図
402  送信フレーム(「Txフレーム」)制御信号
404  送信機有効化(TX On)制御信号
406  PA有効化(PA On)制御信号
408  時間スロット
410  第1の部分
412  指定された時間期間
430  タイミング図
432  送信フレーム(「Txフレーム」)制御信号
434  TX  On制御信号
436  PA  On制御信号
438  指定された時間期間
440  第1の部分
442  期間
444  指定された時間期間
460  タイミング図
462  PA  On制御信号
464  スイッチ制御信号
t1、t2、t3、t4、t5  時間
500  方法
600  電子デバイス
602  物理レイヤデバイス(PHY)
604  メディア独立型インターフェース
606  プロセッサコア
608  メモリ
【図１】
0005934449.tif 000002
【図２Ａ】
0005934449.tif 000003
【図２Ｂ】
0005934449.tif 000004
【図３Ａ】
0005934449.tif 000005
【図３Ｂ】
0005934449.tif 000006
【図３Ｃ】
0005934449.tif 000007
【図４Ａ】
0005934449.tif 000008
【図４Ｂ】
0005934449.tif 000009
【図４Ｃ】
0005934449.tif 000010
【図５】
0005934449.tif 000011
【図６】
0005934449.tif 000012